(57)【要約】【課題】映像を検索したときに、検索結果としてダイジェスト映像を順次再生し、見たい映像を選択させる。【解決手段】ＣＰＵ２４は、ＲＯＭ２２に格納されているプログラムを実行することにより、ＰＣサーバ１０から予告編データベース１２と本編データベース１４とを取得し、データベース２６に記憶する。そして、入力装置２５により入力された検索条件に該当する映画をデータベース２６に記憶した予告編データベース１２と本編データベース１４とから検索する。ＣＰＵ２４は、検索結果として検索条件に該当する映画の予告編をＰＣサーバ１０の予告編コンテンツ１１から取得し、ディスプレイ３０に順次再生する。さらに、検索結果の中から選択された映画の本編をＰＣサーバ１０の本編コンテンツ１３から取得し、ディスプレイ３０に再生する。【選択図】図１
2007179127.tif 000002
【特許請求の範囲】
【請求項１】
複数の映像の本編と、複数のダイジェスト映像と、前記複数のダイジェスト映像の属性情報と、を記憶する記憶手段と、
前記記憶手段から前記複数のダイジェスト映像の属性情報を取得し格納する格納手段と、
ユーザに所定の検索条件を入力させる入力手段と、
前記入力手段から入力された検索条件に基づき、前記格納手段に格納された複数のダイジェスト映像の属性情報からダイジェスト映像を検索する検索手段と、
前記検索手段が検索したダイジェスト映像を前記記憶手段から複数取得し、順次再生するために出力するダイジェスト映像出力手段と、
前記出力した複数のダイジェスト映像の中から前記入力手段によりユーザが選択した映像の本編を前記記憶手段から取得し、再生するために出力する本編映像出力手段と、
を備えることを特徴とする映像検索システム。
【請求項２】
前記記憶手段は、前記複数の映像の本編の属性情報をさらに記憶し、
前記格納手段は前記記憶手段から前記複数の映像の本編の属性情報をさらに取得し、
前記検索手段は、前記入力手段から入力された検索条件に基づき、前記格納手段に格納された映像の本編の属性情報から映像の本編をさらに検索し、
前記記憶手段は、前記検索手段が検索した際に、前記本編の属性情報から本編が検索されたが前記ダイジェスト映像の属性情報から検索されなかったダイジェスト映像があった場合、該ダイジェスト映像をネットワークを介して取得し、記憶する手段をさらに備え、該ダイジェスト映像を前記ダイジェスト映像出力手段に供給することを特徴とする請求項１に記載の映像検索システム。
【請求項３】
前記本編映像出力手段は、前記入力手段により、前記検索手段が検索した際に、前記ダイジェスト映像の属性情報からダイジェスト映像が検索されたが前記本編の属性情報から検索されなかった本編をユーザが選択した場合、該本編の映像を取得するか否かをユーザに選択させる手段を備え、
前記記憶手段は、ユーザが前記本編の映像を取得することを選択した場合、該本編の映像をネットワークを介して取得し、記憶する手段をさらに備え、該本編の映像を前記本編映像出力手段に供給することを特徴とする請求項２に記載の映像検索システム。
【請求項４】
所定の装置から複数のダイジェスト映像の属性情報を取得し格納する格納手段と、
ユーザに所定の検索条件を入力させる入力手段と、
前記入力手段から入力された検索条件に基づき、前記格納手段に格納された複数のダイジェスト映像の属性情報からダイジェスト映像を検索する検索手段と、
前記検索手段が検索したダイジェスト映像を前記所定の装置から複数取得し、順次再生するために出力するダイジェスト映像出力手段と、
前記出力した複数のダイジェスト映像の中から前記入力手段によりユーザが選択した映像の本編を前記所定の装置から取得し、再生するために出力する本編映像出力手段と、
を備えることを特徴とする映像検索装置。
【請求項５】
コンピュータを、
所定の装置から複数のダイジェスト映像の属性情報を取得し格納する格納手段、
ユーザに所定の検索条件を入力させる入力手段、
前記入力手段から入力された検索条件に基づき、前記格納手段に格納された複数のダイジェスト映像の属性情報からダイジェスト映像を検索する検索手段、
前記検索手段が検索したダイジェスト映像を前記所定の装置から複数取得し、順次再生するために出力するダイジェスト映像出力手段、
前記出力した複数のダイジェスト映像の中から前記入力手段によりユーザが選択した映像の本編を前記所定の装置から取得し、再生するために出力する本編映像出力手段、
として機能させるコンピュータプログラム。
【発明の詳細な説明】
【技術分野】
【０００１】
本発明は、ダイジェスト映像を用いて見たい映像を検索する映像検索システム、映像検索装置、及び、コンピュータプログラムに関する。
【背景技術】
【０００２】
従来、映画の情報が記憶されたデータベース等から見たい映画を検索するには、文字情報を入力して検索していた。そのため、映画のタイトルやキーワードを事前に知らなければ、検索することができなかった。また、検索結果も文字情報で出力されるため、内容についても文字情報から理解しなければならなかった。
【０００３】
映画を検索する際に、ジャンルや出演俳優で検索することができ、検索した映画について試写することができる映画検索装置が提案されている（例えば、特許文献１）。
【０００４】
しかし、上記映画検索装置では、検索結果としてタイトル等の文字情報が表示され、映画を試写するためにはユーザが操作しなければならなかった。そのため、検索結果として複数のタイトルが該当して複数の映画を試写する場合には、ユーザの操作負担が大きくなってしまう。
【特許文献１】特開２００２−２０２９７８号公報
【発明の開示】
【発明が解決しようとする課題】
【０００５】
本発明は、上記問題点に鑑みてなされたもので、検索結果として映像を出力する映像検索システム、映像検索装置、及び、コンピュータプログラムを提供することを目的とする。
【課題を解決するための手段】
【０００６】
上記目的を達成するため、本発明の第１の観点に係る映像検索システムは、複数の映像の本編と、複数のダイジェスト映像と、前記複数のダイジェスト映像の属性情報と、を記憶する記憶手段と、前記記憶手段から前記複数のダイジェスト映像の属性情報を取得し格納する格納手段と、ユーザに所定の検索条件を入力させる入力手段と、前記入力手段から入力された検索条件に基づき、前記格納手段に格納された複数のダイジェスト映像の属性情報からダイジェスト映像を検索する検索手段と、前記検索手段が検索したダイジェスト映像を前記記憶手段から複数取得し、順次再生するために出力するダイジェスト映像出力手段と、前記出力した複数のダイジェスト映像の中から前記入力手段によりユーザが選択した映像の本編を前記記憶手段から取得し、再生するために出力する本編映像出力手段と、を備えることを特徴とする。
【０００７】
例えば、前記記憶手段は、前記複数の映像の本編の属性情報をさらに記憶し、前記格納手段は前記記憶手段から前記複数の映像の本編の属性情報をさらに取得し、前記検索手段は、前記入力手段から入力された検索条件に基づき、前記格納手段に格納された映像の本編の属性情報から映像の本編をさらに検索し、前記記憶手段は、前記検索手段が検索した際に、前記本編の属性情報から本編が検索されたが前記ダイジェスト映像の属性情報から検索されなかったダイジェスト映像があった場合、該ダイジェスト映像をネットワークを介して取得し、記憶する手段をさらに備え、該ダイジェスト映像を前記ダイジェスト映像出力手段に供給してもよい。
【０００８】
前記本編映像出力手段は、前記入力手段により、前記検索手段が検索した際に、前記ダイジェスト映像の属性情報からダイジェスト映像が検索されたが前記本編の属性情報から検索されなかった本編をユーザが選択した場合、該本編の映像を取得するか否かをユーザに選択させる手段を備え、前記記憶手段は、ユーザが前記本編の映像を取得することを選択した場合、該本編の映像をネットワークを介して取得し、記憶する手段をさらに備え、該本編の映像を前記本編映像出力手段に供給してもよい。
【０００９】
本発明の第２の観点に係る映像検索装置は、所定の装置から複数のダイジェスト映像の属性情報を取得し格納する格納手段と、ユーザに所定の検索条件を入力させる入力手段と、前記入力手段から入力された検索条件に基づき、前記格納手段に格納された複数のダイジェスト映像の属性情報からダイジェスト映像を検索する検索手段と、前記検索手段が検索したダイジェスト映像を前記所定の装置から複数取得し、順次再生するために出力するダイジェスト映像出力手段と、前記出力した複数のダイジェスト映像の中から前記入力手段によりユーザが選択した映像の本編を前記所定の装置から取得し、再生するために出力する本編映像出力手段と、を備えることを特徴とする。
【００１０】
本発明の第３の観点に係るコンピュータプログラムは、コンピュータを、所定の装置から複数のダイジェスト映像の属性情報を取得し格納する格納手段、ユーザに所定の検索条件を入力させる入力手段、前記入力手段から入力された検索条件に基づき、前記格納手段に格納された複数のダイジェスト映像の属性情報からダイジェスト映像を検索する検索手段、前記検索手段が検索したダイジェスト映像を前記所定の装置から複数取得し、順次再生するために出力するダイジェスト映像出力手段、前記出力した複数のダイジェスト映像の中から前記入力手段によりユーザが選択した映像の本編を前記所定の装置から取得し、再生するために出力する本編映像出力手段、として機能させることを特徴とする。
【発明の効果】
【００１１】
本発明によれば、ユーザが入力した検索条件に該当する映像のダイジェスト映像を複数再生し、ユーザはそのダイジェスト映像を確認しながら見たい映像を選ぶことができる。
このため、ユーザは検索した映像のタイトルとその映像に関する知識が無くとも、ダイジェスト映像の確認により見たい映像を選ぶことができる。
【発明を実施するための最良の形態】
【００１２】
本発明の実施の形態に係る映像検索システムは、図１に示すように、ＰＣサーバ１０と、検索装置２０と、ディスプレイ３０と、で構成される。
【００１３】
ＰＣサーバ１０は、予告編コンテンツ１１と、予告編データベース１２と、本編コンテンツ１３と、本編データベース１４と、を記憶する。ＰＣサーバ１０は、ＬＡＮ（Local Area Network）で検索装置２０と接続される。また、ＰＣサーバ１０は、インターネット４０に接続される。
【００１４】
予告編コンテンツ１１は、映像の検索に用いる映画の予告編の映像データを記憶する。ここで用いる予告編の映像データは、映画配給会社が作成し、供給するものである。
【００１５】
予告編データベース１２は、図２に示すような、予告編コンテンツ１１に記憶されている映画のタイトル、ジャンル、制作年度、監督、出演者、予告編映像のアドレス、本編映像のアドレスの情報を含むデータベースである。
【００１６】
本編コンテンツ１３は、映画の映像データを記憶する。
【００１７】
本編データベース１４は、本編コンテンツ１３に記憶されているタイトルについて、予告編データベース１２と同様の形式で記憶するデータベースである。
【００１８】
検索装置２０は、ＰＣサーバ１０から映画を検索するための情報を取得し、ディスプレイ３０に出力する装置である。また、検索装置２０は、ＰＣサーバ１０から取得した映像をディスプレイ３０に出力する。検索装置２０は、通信制御部２１と、ＲＯＭ（Read Only Memory）２２と、ＲＡＭ（Random Access Memory）２３と、ＣＰＵ（Central Processing Unit）２４と、入力装置２５と、データベース２６と、表示制御部２７と、で構成される。
【００１９】
通信制御部２１は、ＰＣサーバ１０とＬＡＮで接続される。通信制御部２１は、ＣＰＵ２４の制御のもと、ＰＣサーバ１０から予告編データベース１２と本編データベース１４とを取得する。通信制御部２１は、ＰＣサーバ１０の予告編コンテンツ１１と本編コンテンツ１３とから映像データを取得し、取得した映像データを表示制御部２７に転送する。また、通信制御部２１は、ＰＣサーバ１０の動作を制御する信号を送信する。
【００２０】
ＲＯＭ２２は、ＣＰＵ２４の動作を制御するためのプログラムを記憶する。
【００２１】
ＲＡＭ２３は、ＣＰＵ２４のワークエリアとして機能する。
【００２２】
入力装置２５は、ユーザが映画の検索情報（タイトル、ジャンル、制作年度、監督、出演者）を入力する装置である。また、検索結果から、本編を再生したい映画を選択することができる。
【００２３】
データベース２６は、ＰＣサーバ１０より取得した予告編データベース１２と本編データベース１４との内容を記憶する。
【００２４】
表示制御部２７は、ＣＰＵ２４の制御のもと、ＰＣサーバ１０の予告編コンテンツ１１と本編コンテンツ１３とから取得した映像データをディスプレイ３０で再生できる形式の映像に変換する。そして、変換した映像をディスプレイ３０に出力する。また、表示制御部２７は、映画検索に必要な情報をディスプレイ３０に表示させる。
【００２５】
ＣＰＵ２４は、ＲＯＭ２２に格納されているプログラムを実行することにより、ＰＣサーバ１０から予告編データベース１２と本編データベース１４とを取得し、データベース２６に記憶する。そして、入力装置２５により入力された検索条件に該当する映画をデータベース２６に記憶した予告編データベース１２と本編データベース１４とから検索する。ＣＰＵ２４は、検索結果として検索条件に該当する映画の予告編をＰＣサーバ１０の予告編コンテンツ１１から取得し、ディスプレイ３０に順次再生する。さらに、検索結果の中から選択された映画の本編をＰＣサーバ１０の本編コンテンツ１３から取得し、ディスプレイ３０に再生する。
【００２６】
ディスプレイ３０は、映像を再生する装置である。ディスプレイ３０は、検索装置２０と接続される。
【００２７】
次に、上記構成の映像検索システムの動作について図面を参照しながら説明する。
【００２８】
検索装置２０の電源が投入されると、先ず、ＣＰＵ２４は、通信制御部２１を制御してＰＣサーバ１０から、予告編データベース１２及び本編データベース１４のデータを取得する。取得したデータは、データベース２６に記憶する。
【００２９】
ユーザの操作により、映画検索が選択されると、検索装置２０は図４のフローチャートに示す検索処理を開始する。検索装置２０のＣＰＵ２４は、先ず、表示制御部２７を制御してディスプレイ３０に、図３に示すような映画検索用の画面を表示させる（ステップＳ１１）。
【００３０】
ユーザが入力装置２５から検索条件を入力する（ステップＳ１２）と、ＣＰＵ２４は、検索条件に該当する映画をデータベース２６に記憶した予告編データベース１２から検索する（ステップＳ１３）。
【００３１】
続いて、ＣＰＵ２４は、検索条件に該当する映画をデータベース２６に記憶した本編データベース１４から検索する（ステップＳ１４）。
【００３２】
次に、検索条件に該当する映画の中に、本編データベース１４には記憶されているが、予告編データベース１２には記憶されていない映画が存在するか判別する（ステップＳ１５）。
【００３３】
本編データベース１４には記憶されているが、予告編データベース１２には記憶されていない映画が存在した場合（ステップＳ１５；Ｙｅｓ）、ＰＣサーバ１０の予告編コンテンツ１１にその映画の予告編の映像が存在しないこととなる。そこで、ＣＰＵ２４は、通信制御部２１を制御して、ＰＣサーバ１０を制御する信号を送信し、ＰＣサーバ１０の予告編コンテンツ１１にその映画の予告編の映像をインターネット４０上の予め定められた所定のアドレスから取得させる（ステップＳ１６）。
【００３４】
これにより、予告編の映像をＰＣサーバ１０に有していなくても、外部サーバから取得できる。
【００３５】
本編データベース１４には記憶されているが、予告編データベース１２には記憶されていない映画が存在しない場合（ステップＳ１５；Ｎｏ）、または、ステップＳ１６で予告編を取得する処理が終了すると、ＣＰＵ２４は、図５に示すような、ステップＳ１３、ステップＳ１４で検索した映画のタイトルＩ１と予告編のアドレスＩ２（ＰＣサーバ１０の予告編コンテンツ１１内）と本編のアドレスＩ３（ＰＣサーバ１０の本編コンテンツ１３内）とで構成されるテーブルＴを作成し、ＲＡＭ２３に記憶する（ステップＳ１７）。
【００３６】
そして、ＣＰＵ２４は、通信制御部２１と表示制御部２７とを制御して、ＲＡＭ２３に記憶されたテーブルＴの予告編のアドレスＩ２から予告編の映像データを取得し、ディスプレイ３０に順次再生する（ステップＳ１８）。また、それに伴い、図６に示すように、タイトルＩ１と、本編再生を選択するボタンをディスプレイ３０に表示させる。
【００３７】
これによって、従来文字情報で出力されていた検索結果を、予告編の映像という形で提供することができる。
【００３８】
そして、順次再生される予告編の映像と表示されるタイトルＩ１をもとに、本編再生が入力装置２５により選択されると（ステップＳ１９；Ｙｅｓ）、ＣＰＵ２４は、通信制御部２１と表示制御部２７とを制御して、選択されたタイトルの本編の映像データを、ＲＡＭ２３に記憶されたテーブルＴの本編のアドレスＩ３から取得し、ディスプレイ３０に再生する（ステップＳ２０）。なお、本編再生の選択は、割り込み処理により予告編再生中にもすることができるようにする。
本編の再生を開始すると、ＣＰＵ２４は検索処理を終了する。
【００３９】
再生するタイトルが入力装置２５により選択されない場合（ステップＳ１９；Ｎｏ）、再び検索画面を表示するため、ステップＳ１１に処理を戻す。
【００４０】
以上により、ユーザが入力した検索条件に該当する映画の予告編を順次再生し、ユーザはその予告編の映像を確認しながら見たい映画を選ぶことができる。
このため、ユーザは検索した映像のタイトルとその映像に関する知識が無くとも、ダイジェスト映像の確認により見たい映像を選ぶことができる。
【００４１】
なお、この発明は上記実施の形態に限定されず、種々の変形及び応用が可能である。
【００４２】
また、上記実施の形態では、ステップＳ１７で図５に示すような、検索した映画のタイトルＩ１と予告編のアドレスＩ２と本編のアドレスＩ３とで構成されるテーブルＴを作成し、ＲＡＭ２３に記憶していたが、予めＰＣサーバ上に図５に示すようなテーブルを記憶しておき、検索装置２０が、取得又は参照するようにしてもよい。
【００４３】
また、上記実施の形態では、複数の映画の予告編映像を順次再生するようにしていたが、図７に示すように、複数の映画の予告編映像を並行して再生するようにしてもよい。
【００４４】
また、検索結果として再生する予告編映像は映画配給会社が作成し、供給するものに限らず、ユーザに本編映像の情報を提供できる映像であれば任意である。例えば、本編映像を編集し作成したダイジェストであってもよい。
【００４５】
また、上記実施の形態では、ＰＣサーバ１０に予告編の情報（予告編コンテンツ１１、予告編データベース１２）及び本編の情報（本編コンテンツ１３、本編データベース１４）を記憶していたが、ＰＣサーバ１０の負荷を軽減するため、図８に示すように、予告編の情報（予告編コンテンツ１１、予告編データベース１２）を別のＰＣサーバ５０に記憶するようにしてもよい。
【００４６】
また、上記実施の形態では、検索装置２０とＰＣサーバ１０を同一構内のＬＡＮで接続していたが、図９に示すように、ＰＣサーバ１０をインターネット４０上に設置し、検索装置２０は、インターネット４０を介してＰＣサーバ１０と接続するようにしてもよい。
【００４７】
図４に示す検索処理のフローチャートは一例であり、変更可能である。例えば、図１０に示すよう変更し、ステップＳ１９で本編の再生が選択されたとき（ステップＳ１９；Ｙｅｓ）、図１１に示すような、本編購入選択処理（ステップＳ２１）を追加してもよい。
【００４８】
図１１に示す、本編購入選択処理では、予告編があるが本編がない映画が選択された場合（ステップＳ２１１；Ｙｅｓ）、ＣＰＵ２４は、表示制御部２７を制御して、本編をインターネット４０から該映画を購入するか否かを選択する画面をディスプレイ３０に表示し、ユーザに選択を入力させる（ステップＳ２１２）。
そして、本編を購入することが選択された場合（ステップＳ２１３；Ｙｅｓ）、ＣＰＵ２４は、表示制御部２７を制御して、ユーザに決済情報を入力させる画面をディスプレイ３０に表示し、決済情報を入力装置２５により入力させる（ステップＳ２１４）。
入力が完了すると、ＣＰＵ２４は、通信制御部２１を制御して、入力された決済情報とＰＣサーバ１０を制御する信号とを送信し、ＰＣサーバ１０に、インターネット４０上の予め定められた所定のアドレスに決済情報を送信させて、本編コンテンツ１３にその映画の本編の映像を取得させる（ステップＳ２１５）。
なお、本編があるタイトルが選択された場合は（ステップＳ２１１；Ｎｏ）、本編購入選択処理を終了し、選択された本編を再生する（ステップＳ２０）。また、本編購入が選択されなかった場合（ステップＳ２１３；Ｎｏ）、映画検索画面を表示するため、本編購入選択処理を終了し、検索処理のステップＳ１１に処理を移す。
これにより、本編の映像をＰＣサーバ１０に有していなくても、外部サーバから取得できる。
【００４９】
また、上記実施の形態では、ＣＰＵ２４が実行するプログラムは、ＲＯＭ２２に記憶されていたが、任意の記憶媒体に予め記憶したり、ネットワークを介して任意の記憶媒体に記憶するようにしてもよい。また、上記プログラムを記憶したコンピュータを検索装置２０として機能させるようにしてもよい。
【図面の簡単な説明】
【００５０】
【図１】本発明の実施の形態に係る映像検索システムの構成を説明するための図である。
【図２】予告編データベース、本編データベースの構成を示す図である。
【図３】検索画面の一例を示す図である。
【図４】検索処理の動作を説明するためのフローチャートである。
【図５】映画のタイトルと予告編のアドレスと本編のアドレスとで構成されるテーブルを示す図である。
【図６】予告編映像の再生画面の一例を示す図である。
【図７】予告編映像の再生画面の変形例を示す図である。
【図８】映像検索システムの第１の変形例の構成を示す図である。
【図９】映像検索システムの第２の変形例の構成を示す図である。
【図１０】映像検索システムの動作の変形例を説明するためのフローチャートである。
【図１１】図１０に示す本編購入選択処理の動作を示すフローチャートである。
【符号の説明】
【００５１】
１０  ＰＣサーバ
２０  検索装置
３０  ディスプレイ
４０  インターネット
５０  ＰＣサーバ
【図１】
2007179127.tif 000003
【図２】
2007179127.tif 000004
【図３】
2007179127.tif 000005
【図４】
2007179127.tif 000006
【図５】
2007179127.tif 000007
【図６】
2007179127.tif 000008
【図７】
2007179127.tif 000009
【図８】
2007179127.tif 000010
【図９】
2007179127.tif 000011
【図１０】
2007179127.tif 000012
【図１１】
2007179127.tif 000013